(57)【要約】      （修正有）【課題】中継サーバの負担を少なくし、確実に宛先へ呼のルーティングが可能な呼ルーティング方法及び呼ルーティングシステムを提供する。【解決手段】発信端末が送信する呼設定要求メッセージに含まれる宛先アドレスが加入者セッション制御サーバ自身の収容端末ではない場合に呼設定要求メッセージを中継サーバへ転送するステップと、中継サーバは宛先アドレスを参照せずに呼設定要求メッセージを番号管理手段に転送するステップと、番号管理手段は宛先アドレスに対応する論理アドレスおよび表番号を含むリダイレクトメッセージを中継サーバへ返送するステップと、中継サーバにリダイレクトされた論理アドレスに対応する着信側加入者セッション制御サーバに呼設定要求メッセージを送信するステップと、着信側加入者セッション制御サーバが受信した呼設定要求メッセージを着信端末に転送するステップとを有する。【選択図】図５
2010193046.tif 000002
【特許請求の範囲】
【請求項１】
独立して管理される異なる方式の複数網が統合された統合通信網で用いられる呼ルーティング方法において、
前記複数網の第１の網に接続される発信端末が呼設定要求メッセージを前記発信端末を収容する加入者セッション制御サーバに対して送信するステップと、
前記加入者セッション制御サーバは前記呼設定要求メッセージに含まれる着信端末の宛先アドレスが前記加入者セッション制御サーバ自身の収容端末であるか否かを判断して、収容端末ではない場合に前記呼設定要求メッセージを中継サーバへ転送するステップと、
前記中継サーバは前記宛先アドレスを参照することなく、前記呼設定要求メッセージを番号管理手段に転送するステップと、
前記番号管理手段は自身が保持するアドレス管理表に基づいて前記宛先アドレスに対応する論理アドレスを検索して該論理アドレスおよび表番号を含むリダイレクトメッセージを前記中継サーバへ返送するステップと、
前記中継サーバにリダイレクトされた前記リダイレクトメッセージの前記論理アドレスに対応する前記複数網のいずれかの網に接続される着信端末を収容する着信側加入者セッション制御サーバに前記呼設定要求メッセージを送信するステップと、
前記着信側加入者セッション制御サーバが受信した前記呼設定要求メッセージを前記表番号に該当する着信端末に転送するステップと
を有することを特徴とする呼ルーティング方法。
【請求項２】
請求項１に記載の呼ルーティング方法において、
前記中継サーバは、前記複数網の第１の網の番号管理手段が管理しない宛先アドレスである場合は、前記複数網の他の網の番号管理手段に順番に前記呼設定要求メッセージを転送するステップを有することを特徴とする呼ルーティング方法。
【請求項３】
請求項１または２に記載の呼ルーティング方法において、
複数の統合通信網に跨がる呼をルーティングする場合、発信元の第１の統合通信網から前記呼設定要求メッセージが転送された第２の統合通信網からさらに第３の統合通信網に転送する場合は前記発信元の第１の統合通信網を経由して前記呼設定要求メッセージを転送するステップを有することを特徴とする呼ルーティング方法。
【請求項４】
請求項１から３のいずれか一項に記載の呼ルーティング方法において、
前記番号管理手段は、前記着信端末が番号ポータビリティで移動したユーザの端末あるいは複数の統合通信網にまたがるルーティングの場合、前記論理アドレスを転送先アドレス（ＮＲＮ）で構成して前記中継サーバへ返送するステップを有することを特徴とする呼ルーティング方法。
【請求項５】
請求項４に記載の呼ルーティング方法において、
前記番号管理手段は、転送先アドレス（ＮＲＮ）と表番号との２つの番号を中継セッション制御サーバに返送するステップを有することを特徴とする呼ルーティング方法。
【請求項６】
請求項１から３のいずれか一項に記載の呼ルーティング方法において、
同一番号帯が収容された番号管理元の複数の加入者セッション制御サーバがある場合、前記番号管理元の複数の加入者セッション制御サーバは前記宛先アドレスをＳＲＮに展開するステップを有することを特徴とする呼ルーティング方法。
【請求項７】
請求項６に記載の呼ルーティング方法において、
番号管理元ではない加入者セッション制御サーバに接続される端末が発信端末である場合、前記番号管理元の複数の加入者セッション制御サーバは前記宛先アドレスをＳＲＮに展開した表番号を含むリダイレクトメッセージを前記中継サーバへ返送するステップを有することを特徴とする呼ルーティング方法。
【請求項８】
請求項６または７に記載の呼ルーティング方法において、
番号管理元の加入者セッション制御サーバに接続される端末が発信端末である場合、前記発信端末が接続される加入者セッション制御サーバは着信端末が接続される加入者セッション制御サーバに接続できない時に中継サーバに迂回するステップを有することを特徴とする呼ルーティング方法。
【請求項９】
請求項１から８のいずれか一項に記載の呼ルーティング方法において、
前記転送先の網の１つがＰＳＴＮである場合は、ＮＲＮに展開した前記呼設定要求メッセージを前記中継サーバでＩＡＭメッセージに変換して転送することを特徴とする呼ルーティング方法。
【請求項１０】
加入者セッション制御サーバと中継サーバとを有する第１の網を含む独立して管理される異なる方式の複数網（次世代ＩＰ網と光電話ユーザ網とＰＳＴＮと）が統合された統合通信網を有する呼ルーティングシステムにおいて、
前記中継サーバから転送される発信端末からの呼設定要求メッセージに含まれる着信端末の宛先アドレスに対応する論理アドレスを自身が保持するアドレス管理表に基づいて検索して該論理アドレスおよび表番号を含むリダイレクトメッセージを作成して前記中継サーバへ返送する番号管理手段を設け、
前記加入者セッション制御サーバは、自身が収容する発信端末から受信する呼設定要求メッセージに含まれる着信端末の宛先アドレスが自身の収容端末であるか否かを判断して、収容端末ではない場合に前記呼設定要求メッセージを前記中継サーバへ転送し、
前記中継サーバは、前記加入者セッション制御サーバから転送される前記宛先アドレスを参照することなく、前記呼設定要求メッセージを前記番号管理手段に転送し、
前記加入者セッション制御サーバは、前記中継サーバにリダイレクトされた前記リダイレクトメッセージの前記論理アドレスに対応する前記複数網のいずれかの網に接続される着信端末を収容する着信側加入者セッション制御サーバに前記呼設定要求メッセージを送信する
ことを特徴とする呼ルーティングシステム。
【請求項１１】
請求項１０に記載の呼ルーティングシステムにおいて、
前記中継サーバは、前記複数網の第１の網の番号管理手段が管理しない宛先アドレスである場合は、前記複数網の他の網の番号管理手段に順番に前記呼設定要求メッセージを転送することを特徴とする呼ルーティングシステム。
【請求項１２】
請求項１０または１１に記載の呼ルーティングシステムにおいて、
複数の統合通信網に跨がる呼をルーティングする場合、発信元の第１の統合通信網から前記呼設定要求メッセージが転送された第２の統合通信網の中継サーバは、前記呼設定要求メッセージをさらに第３の統合通信網に転送する場合は前記発信元の第１の統合通信網を経由して前記呼設定要求メッセージを転送することを特徴とする呼ルーティングシステム。
【請求項１３】
請求項１０から１２のいずれか一項に記載の呼ルーティングシステムにおいて、
前記番号管理手段は、前記着信端末が番号ポータビリティで移動したユーザの端末あるいは複数の統合通信網にまたがるルーティングの場合、前記論理アドレスを転送先アドレス（ＮＲＮ）で構成して前記中継サーバへ返送することを特徴とする呼ルーティングシステム。
【請求項１４】
請求項１３に記載の呼ルーティングシステムにおいて、
前記番号管理手段は、転送先アドレス（ＮＲＮ）と表番号との２つの番号を中継セッション制御サーバに返送することを特徴とする呼ルーティングシステム。
【請求項１５】
請求項１０から１２のいずれか一項に記載の呼ルーティングシステムにおいて、
同一番号帯が収容された番号管理元の複数の加入者セッション制御サーバがある場合、前記番号管理元の複数の加入者セッション制御サーバは前記宛先アドレスをＳＲＮに展開することを特徴とする呼ルーティングシステム。
【請求項１６】
請求項１５に記載の呼ルーティングシステムにおいて、
番号管理元ではない加入者セッション制御サーバに接続される端末が発信端末である場合、前記番号管理元の複数の加入者セッション制御サーバは前記宛先アドレスをＳＲＮに展開した表番号を含むリダイレクトメッセージを前記中継サーバへ返送することを特徴とする呼ルーティングシステム。
【請求項１７】
請求項１５または１６に記載の呼ルーティングシステムにおいて、
番号管理元の加入者セッション制御サーバに接続される端末が発信端末である場合、前記発信端末が接続される加入者セッション制御サーバは着信端末が接続される加入者セッション制御サーバに接続できない時に中継サーバに迂回するステップを有することを特徴とする呼ルーティングシステム。
【請求項１８】
請求項１０から１７のいずれか一項に記載の呼ルーティングシステムにおいて、
前記転送先の網の１つがＰＳＴＮである場合は、ＮＲＮに展開した前記呼設定要求メッセージを前記中継サーバでＩＡＭメッセージに変換して転送することを特徴とする呼ルーティングシステム。
【発明の詳細な説明】
【技術分野】
【０００１】
本発明は、ＩＰ技術を利用する次世代網（次世代ＩＰ網）やＰＳＴＮ（Ｐｕｂｌｉｃ  Ｓｗｉｔｃｈｅｄ  Ｔｅｌｅｐｈｏｎｅ  Ｎｅｔｗｏｒｋｓ：公衆電話交換網）およびＩＰ電話サービス網などを統合する統合通信網における呼ルーティング方法および呼ルーティングシステムに関する。
【背景技術】
【０００２】
近年、インターネットが広く普及し、様々な情報の取得や交換が行われるようになってきた。また高速かつ安定した品質のブロードバンドアクセスの需要が高まり、従来の銅線の加入者回線に代わって光ファイバの普及が進み、国内の光アクセスサービスであるＦＴＴＨ（Ｆｉｂｅｒ  Ｔｏ  Ｔｈｅ  Ｈｏｍｅ）の加入者数は１０００万を超えている。このような通信インフラの普及を背景として、パケット通信プロトコルのＩＰ（Ｉｎｔｅｒｎｅｔ  Ｐｒｏｔｏｃｏｌ）技術を利用したＩＰ電話も急速に普及してきている。
【０００３】
このため、通信サービス提供事業者は、電話サービスや映像通信サービスなどを統合的に実現するＩＰネットワークとして次世代網（ＮＧＮ：Ｎｅｘｔ  Ｇｅｎｅｒａｔｉｏｎ  Ｎｅｔｗｏｒｋ）の開発を進めている。例えば、非特許文献１には、ＥＴＳＩ（Ｅｕｒｏｐｅａｎ  Ｔｅｌｅｃｏｍｍｕｎｉｃａｔｉｏｎｓ  Ｓｔａｎｄａｒｄｓ  Ｉｎｓｔｉｔｕｔｅ：欧州電気通信標準化機構）の技術委員会ＴＩＳＰＡＮ（Ｔｅｌｅｃｏｍｓ  ＆  Ｉｎｔｅｒｎｅｔ  ｃｏｎｖｅｒｇｅｄ  Ｓｅｒｖｉｃｅｓ  ＆  Ｐｒｏｔｏｃｏｌｓ  ｆｏｒ  Ａｄｖａｎｃｅｄ  Ｎｅｔｗｏｒｋｓ）でのＮＧＮ標準化動向が紹介されている。また、非特許文献２にはＮＧＮを支える技術が紹介され、インターネットのクライアント識別技術やＩＰアドレスによって通信経路を選択するルーティング技術などが紹介されている。
【０００４】
一方、一般電話網の中心として長年使われてきたＰＳＴＮは、階層化された交換機網が形成され、全世界的な番号構成（国番号、地域番号など）で割り付けられた電話番号に基づいて呼の通信経路の選択が行われるようになっている。このような既存の電話網は堅牢なセキュリティと多機能化が確立されているが、システムが閉鎖的でコスト的に高いという課題があった（例えば非特許文献３参照）。一方、ＩＰ網はセキュリティや品質面での課題はあるが、ユーザ側で独自に管理可能でネットワークを低コストで構築できるという利点を持っている。そこで、既存の電話網とＩＰ網の両者の優れたところを併せ持ったＮＧＮの開発に大きな期待が寄せられている。
【０００５】
また最近ではＣＡＴＶ回線や光ファイバ回線などにおいて、ＶｏＩＰ技術を利用して一般加入電話サービスと同じように使うことができるＩＰ電話サービスが急速に普及してきている。このようなＩＰ電話は既存の電話網に相互接続され、それぞれの電気通信事業者のＩＰ網を利用するユニークな電話番号を割り当てられるものだけでなく、一般加入電話と同じ電話番号をＩＰ電話に割り当てることができるサービスも提供されている。
【０００６】
このようなＩＰ電話などリアルタイム性が要求されるアプリケーションでは、一般にセッションの生成・変更・切断を行うためのＳＩＰ（Ｓｅｓｓｉｏｎ  Ｉｎｉｔｉａｔｉｏｎ  Ｐｒｏｔｏｃｏｌ）が用いられている。ＳＩＰでは呼を生成するために発信元の端末から網側に呼設定要求メッセージ（ＩＮＶＩＴＥメッセージ）を送出し、網側の加入者系サーバ（加入者セッション制御サーバ）や中継サーバ（中継セッション制御サーバ）でルーティングして着信先の端末に接続する仕組みになっている。
【０００７】
例えば図１１に示した従来技術では、着信先の加入者端末Ｂのユーザが加入者系サーバｂから加入者系サーバｃの配下に移動した場合、加入者端末Ａから送信された加入者端末Ｂへの呼設定要求メッセージ（ＩＮＶＩＴＥメッセージ（宛先：加入者端末Ｂ））は加入者系サーバａおよび中継サーバｚを介して元の収容先の加入者系サーバｂに着信する。ところが、加入者系サーバｂの配下に加入者端末Ｂ（実際は加入者端末Ｂに付与された電話番号の端末）が存在しないので、加入者系サーバｂは自サーバ配下には加入者端末Ｂが存在しない旨のエラーメッセージを中継サーバｚに返送する。このエラーメッセージは発信時とは逆の順序で発信元に返送される。この場合、加入者端末Ａは加入者端末Ｂに接続することはできない。
【０００８】
これを解決するために、例えば図１２に示した別の従来技術では、中継サーバｚが予め加入者端末Ｂがどの加入者系サーバに収容されているかを集中的に管理するようになっている。つまり中継サーバｚは加入者端末Ｂが加入者系サーバｃの配下に移動したことを予め知っているので、図１１と同様に加入者端末Ａから中継サーバｚにＩＮＶＩＴＥメッセージが送られてくると、中継サーバｚは加入者端末Ｂの元の収容先である加入者系サーバｂには送らず、加入者系サーバｃにＩＮＶＩＴＥメッセージを転送する。そして、加入者系サーバｃはＩＮＶＩＴＥメッセージを着信先である加入者端末Ｂに転送して、加入者端末Ａは加入者端末Ｂに接続することができるようになっている。
【発明の概要】
【発明が解決しようとする課題】
【０００９】
ところが、従来技術では、中継サーバは番号解決（宛先端末へのルーティング経路の選択）するために、全ての端末の電話番号を集中的に管理しなければならず、中継サーバの負担が大きくなると共にコスト的にも高くなるという問題があった。特に番号ポータビリティサービス（事業者を変えても同じ電話番号を使えるようにするサービス：このサービスを実現するには他事業者へ旧契約者の電話番号を引き継ぐための機能が必要となる）に対応した番号解決を行って呼を確実に宛先にルーティングするためには、プレゼンスサービス（ユーザや端末毎の接続状況などの管理）などのシステムのスケーラビリティの問題を含めて、中継サーバの負担が大きくなるという問題があった。
【００１０】
上記課題に鑑み、本発明の目的は、既存の電話網とＩＰ網とが統合された統合通信網において、中継サーバの負担を少なくし確実に宛先へ呼のルーティングが可能な呼ルーティング方法および呼ルーティングシステムを提供することである。
【課題を解決するための手段】
【００１１】
本発明の請求項１に係る呼ルーティング方法は、独立して管理される異なる方式の複数網が統合された統合通信網で用いられる呼ルーティング方法において、前記複数網の第１の網に接続される発信端末が呼設定要求メッセージを前記発信端末を収容する加入者セッション制御サーバに対して送信するステップと、前記加入者セッション制御サーバは前記呼設定要求メッセージに含まれる着信端末の宛先アドレスが前記加入者セッション制御サーバ自身の収容端末であるか否かを判断して、収容端末ではない場合に前記呼設定要求メッセージを中継サーバへ転送するステップと、前記中継サーバは前記宛先アドレスを参照することなく、前記呼設定要求メッセージを番号管理手段に転送するステップと、前記番号管理手段は自身が保持するアドレス管理表に基づいて前記宛先アドレスに対応する論理アドレスを検索して該論理アドレスおよび表番号を含むリダイレクトメッセージを前記中継サーバへ返送するステップと、前記中継サーバにリダイレクトされた前記リダイレクトメッセージの前記論理アドレスに対応する前記複数網のいずれかの網に接続される着信端末を収容する着信側加入者セッション制御サーバに前記呼設定要求メッセージを送信するステップと、前記着信側加入者セッション制御サーバが受信した前記呼設定要求メッセージを前記表番号に該当する着信端末に転送するステップとを有することを特徴とする。
【００１２】
また、本発明の請求項２に係る呼ルーティング方法は、請求項１に記載の呼ルーティング方法において、前記中継サーバは、前記複数網の第１の網の番号管理手段が管理しない宛先アドレスである場合は、前記複数網の他の網の番号管理手段に順番に前記呼設定要求メッセージを転送するステップを有することを特徴とする。
【００１３】
また、本発明の請求項３に係る呼ルーティング方法は、請求項１または２に記載の呼ルーティング方法において、複数の統合通信網に跨がる呼をルーティングする場合、発信元の第１の統合通信網から前記呼設定要求メッセージが転送された第２の統合通信網からさらに第３の統合通信網に転送する場合は前記発信元の第１の統合通信網を経由して前記呼設定要求メッセージを転送するステップを有することを特徴とする。
【００１４】
また、本発明の請求項４に係る呼ルーティング方法は、請求項１から３のいずれか一項に記載の呼ルーティング方法において、前記番号管理手段は、前記着信端末が番号ポータビリティで移動したユーザの端末あるいは複数の統合通信網にまたがるルーティングの場合、前記論理アドレスを転送先アドレス（ＮＲＮ）で構成して前記中継サーバへ返送するステップを有することを特徴とする。
【００１５】
また、本発明の請求項５に係る呼ルーティング方法は、請求項４に記載の呼ルーティング方法において、前記番号管理手段は、転送先アドレス（ＮＲＮ）と表番号との２つの番号を中継セッション制御サーバに返送するステップを有することを特徴とする。
【００１６】
また、本発明の請求項６に係る呼ルーティング方法は、請求項１から３のいずれか一項に記載の呼ルーティング方法において、同一番号帯が収容された番号管理元の複数の加入者セッション制御サーバがある場合、前記番号管理元の複数の加入者セッション制御サーバは前記宛先アドレスをＳＲＮに展開するステップを有することを特徴とする。
【００１７】
また、本発明の請求項７に係る呼ルーティング方法は、請求項６に記載の呼ルーティング方法において、番号管理元ではない加入者セッション制御サーバに接続される端末が発信端末である場合、前記番号管理元の複数の加入者セッション制御サーバは前記宛先アドレスをＳＲＮに展開した表番号を含むリダイレクトメッセージを前記中継サーバへ返送するステップを有することを特徴とする。
【００１８】
また、本発明の請求項８に係る呼ルーティング方法は、請求項６または７に記載の呼ルーティング方法において、番号管理元の加入者セッション制御サーバに接続される端末が発信端末である場合、前記発信端末が接続される加入者セッション制御サーバは着信端末が接続される加入者セッション制御サーバに接続できない時に中継サーバに迂回するステップを有することを特徴とする。
【００１９】
また、本発明の請求項９に係る呼ルーティング方法は、請求項１から８のいずれか一項に記載の呼ルーティング方法において、前記転送先の網の１つがＰＳＴＮである場合は、ＮＲＮに展開した前記呼設定要求メッセージを前記中継サーバでＩＡＭメッセージに変換して転送することを特徴とする。
【００２０】
また、本発明の請求項１０に係る呼ルーティングシステムは、加入者セッション制御サーバと中継サーバとを有する第１の網を含む独立して管理される異なる方式の複数網が統合された統合通信網を有する呼ルーティングシステムにおいて、前記中継サーバから転送される発信端末からの呼設定要求メッセージに含まれる着信端末の宛先アドレスに対応する論理アドレスを自身が保持するアドレス管理表に基づいて検索して該論理アドレスおよび表番号を含むリダイレクトメッセージを作成して前記中継サーバへ返送する番号管理手段を設け、前記加入者セッション制御サーバは、自身が収容する発信端末から受信する呼設定要求メッセージに含まれる着信端末の宛先アドレスが自身の収容端末であるか否かを判断して、収容端末ではない場合に前記呼設定要求メッセージを前記中継サーバへ転送し、前記中継サーバは、前記加入者セッション制御サーバから転送される前記宛先アドレスを参照することなく、前記呼設定要求メッセージを前記番号管理手段に転送し、前記加入者セッション制御サーバは、前記中継サーバにリダイレクトされた前記リダイレクトメッセージの前記論理アドレスに対応する前記複数網のいずれかの網に接続される着信端末を収容する着信側加入者セッション制御サーバに前記呼設定要求メッセージを送信することを特徴とする。
【００２１】
また、本発明の請求項１１に係る呼ルーティングシステムは、請求項１０に記載の呼ルーティングシステムにおいて、前記中継サーバは、前記複数網の第１の網の番号管理手段が管理しない宛先アドレスである場合は、前記複数網の他の網の番号管理手段に順番に前記呼設定要求メッセージを転送することを特徴とする。
【００２２】
また、本発明の請求項１２に係る呼ルーティングシステムは、請求項１０または１１に記載の呼ルーティングシステムにおいて、複数の統合通信網に跨がる呼をルーティングする場合、発信元の第１の統合通信網から前記呼設定要求メッセージが転送された第２の統合通信網の中継サーバは、前記呼設定要求メッセージをさらに第３の統合通信網に転送する場合は前記発信元の第１の統合通信網を経由して前記呼設定要求メッセージを転送することを特徴とする。
【００２３】
また、本発明の請求項１３に係る呼ルーティングシステムは、請求項１０から１２のいずれか一項に記載の呼ルーティングシステムにおいて、前記番号管理手段は、前記着信端末が番号ポータビリティで移動したユーザの端末あるいは複数の統合通信網にまたがるルーティングの場合、前記論理アドレスを転送先アドレス（ＮＲＮ）で構成して前記中継サーバへ返送することを特徴とする。
【００２４】
また、本発明の請求項１４に係る呼ルーティングシステムは、請求項１３に記載の呼ルーティングシステムにおいて、前記番号管理手段は、転送先アドレス（ＮＲＮ）と表番号との２つの番号を中継セッション制御サーバに返送することを特徴とする。
【００２５】
また、本発明の請求項１５に係る呼ルーティングシステムは、請求項１０から１２のいずれか一項に記載の呼ルーティングシステムにおいて、同一番号帯が収容された番号管理元の複数の加入者セッション制御サーバがある場合、前記番号管理元の複数の加入者セッション制御サーバは前記宛先アドレスをＳＲＮに展開することを特徴とする。
【００２６】
また、本発明の請求項１６に係る呼ルーティングシステムは、請求項１５に記載の呼ルーティングシステムにおいて、番号管理元ではない加入者セッション制御サーバに接続される端末が発信端末である場合、前記番号管理元の複数の加入者セッション制御サーバは前記宛先アドレスをＳＲＮに展開した表番号を含むリダイレクトメッセージを前記中継サーバへ返送することを特徴とする。
【００２７】
また、本発明の請求項１７に係る呼ルーティングシステムは、請求項１５または１６に記載の呼ルーティングシステムにおいて、番号管理元の加入者セッション制御サーバに接続される端末が発信端末である場合、前記発信端末が接続される加入者セッション制御サーバは着信端末が接続される加入者セッション制御サーバに接続できない時に中継サーバに迂回するステップを有することを特徴とする。
【００２８】
また、本発明の請求項１８に係る呼ルーティングシステムは、請求項１０から１７のいずれか一項に記載の呼ルーティングシステムにおいて、前記転送先の網の１つがＰＳＴＮである場合は、ＮＲＮに展開した前記呼設定要求メッセージを前記中継サーバでＩＡＭメッセージに変換して転送することを特徴とする。
【発明の効果】
【００２９】
本発明に係る呼ルーティング方法および呼ルーティングシステムは、既存の電話網とＩＰ網とが統合された統合通信網において、中継サーバの負担を少なくし宛先に確実に呼をルーティングすることができる。特に番号ポータビリティサービスにも対応した呼のルーティングを実現することができる。
【図面の簡単な説明】
【００３０】
【図１】統合通信網のシステム構成例を示す説明図である。
【図２】自統合通信網内の呼ルーティングを説明するための説明図である。
【図３】複数の統合通信網間の呼ルーティングを説明するための説明図である。
【図４】複数の統合通信網が共通の次世代網で共有される場合の呼ルーティングを説明するための説明図である。
【図５】複数の加入者セッション制御サーバに同一番号帯が収容されている場合で、番号管理元ではない加入者セッション制御サーバに接続されている端末から発信する時の呼ルーティングの流れを示す説明図である。
【図６】複数の加入者セッション制御サーバに同一番号帯が収容されている場合で、番号管理元の加入者セッション制御サーバに接続されている端末から発信する時の呼ルーティングの流れを示す説明図である。
【図７】ＩＮＶＩＴＥメッセージのＵＲＩのホスト部情報の設定例を示した説明図である。
【図８】ＰＳＴＮのユーザが他事業者へ番号ポータビリティで移動した場合の呼ルーティング方法の一例を示した説明図である。
【図９】次世代網ユーザが他事業者の次世代網へ番号ポータビリティで移動した場合の呼ルーティング方法の一例を示した説明図である。
【図１０】次世代網ユーザがＰＳＴＮへ番号ポータビリティを利用して移動した場合の呼ルーティング方法の一例を示した説明図である。
【図１１】従来技術１を示す説明図である。
【図１２】従来技術２を示す説明図である。
【発明を実施するための形態】
【００３１】
以下、図面を参照して本発明に係る呼ルーティング方法および呼ルーティングシステムの実施形態について詳しく説明する。尚、本実施形態に係る呼ルーティング方法および呼ルーティングシステムは、従来のように中継セッション制御サーバ（中継サーバ）で各ユーザの加入者端末の電話番号を管理して番号解決を行う必要がなく、特に番号ポータビリティサービスを利用するユーザの場合でも宛先アドレスをＮＲＮ（Ｎｅｔｗｏｒｋ  Ｒｏｕｔｉｎｇ  Ｎｕｍｂｅｒ：転送先アドレス（転送先のネットワークアドレス））による番号展開を図ってルーティングするので、中継セッション制御サーバの負担を軽くすることができる。
【００３２】
図１に、統合通信網のシステム構成例を示す。図１において、統合通信網１０１内に次世代網（ＮＧＮ）１１０と、ＰＳＴＮ１１１と、ＩＰ電話サービス網（ＣＡＳ網）１１２と、連携サーバ（ＲＬＳ）１１３とを有する。また、ＮＧＮ１１０は他の通信事業者網１０２と接続されている。
【００３３】
図１において、呼のルーティング（発信元と着信先との呼を確立するためのルーティング）は基本的には各通信事業者毎、即ち統合通信網１０１や他の通信事業者網１０２で行われる。また、統合通信網１０１内のＰＳＴＮ１１１およびＩＰ電話サービス網１１２はそれぞれのユニークな番号帯に基づいて呼のルーティングを行うが、異なる事業者間で同じ電話番号を移動して使うことができる番号ポータビリティに対応するために、ＮＲＮ番号に展開して着呼先にルーティングされる。
【００３４】
また、ＮＧＮ１１０から発呼される場合はＮＧＮ１１０の自網内で番号解決するが、番号解決できない場合は連携サーバ１１３に問い合わせ、問い合わせ結果に応じてＩＰ電話サービス網１１２またはＰＳＴＮ１１１に順番にルーティングして番号解決する。
【００３５】
ここで、図２を用いて統合通信網１０１内で呼がルーティングされる場合の例について説明する。図２は図１と同じ統合通信網１０１の構成を示し、ＮＧＮ１０１と、ＰＳＴＮ１１１と、ＩＰ電話サービス網１１２とを有する。
【００３６】
図２において、ＮＧＮ１１０は加入者セッション制御サーバ（ＳＳＣ）１２１と中継セッション制御サーバ（ＩＳＣ）１２２とＰＳＴＮ−ＧＷ１２３とを有し、ＰＳＴＮ１１１はＩＧＳ（関門交換機：Ｉｎｔｅｒｃｏｎｎｅｃｔｉｎｇ  Ｇａｔｅｗａｙ  Ｓｗｉｔｃｈ）１３１とＧＣ（群局：Ｇｒｏｕｐ  Ｕｎｉｔ  Ｃｅｎｔｅｒ）１３２とを有し、ＩＰ電話サービス網１１２は加入者収容サーバ１４１を有している。
【００３７】
ＮＧＮ１１０に接続された次世代ユーザの加入者端末１１４からの発信呼についてはＮＧＮ１１０の自網内で番号解決するが、番号解決できない場合は連携サーバ１１３に問い合わせ、問い合わせ結果に応じてＩＰ電話サービス網１１２またはＰＳＴＮ１１１にルーティングする。ＩＰ電話サービス網１１２へのルーティングの場合は加入者収容サーバ１４１で番号解決する。また、ＰＳＴＮ１１１へのルーティングの場合にはＩＧＳ１３１を経由してＧＣ１３２で番号解決する。特にＰＳＴＮ１１１から他の通信事業者網への番号ポータビリティを利用するユーザの場合は、ＧＣ１３２で他の通信事業者網のＮＲＮに番号展開してＮＧＮ１１０側のＰＳＴＮーＧＷ１２３にリダイレクションし、中継セッション制御サーバ１２２を経由して他の通信事業者網へルーティングする。ＩＰ電話サービス網１１２に接続される加入者端末１１５からの発信呼については帰属するＮＧＮ１１０の中継セッション制御サーバ１２２にルーティングする。ＰＳＴＮ１１１に接続される加入者端末１１６からの発信呼についてはＰＳＴＮ１１１の自網内で番号解決するが、着信先がＰＳＴＮ１１１内の端末ではない場合はＮＲＮに番号展開してＮＧＮ１１０のＰＳＴＮ−ＧＷ１２３へルーティングする。尚、ルーティングする際の具体的なメッセージのやり取りについては後で詳しく説明する。
【００３８】
次に、複数の統合通信網間で呼がルーティングされる場合の構成例について説明する。図３は、統合通信網２０１と統合通信網２０２の２つの統合通信網で構成され、統合通信網２０１はＮＧＮ２１０ａを有し、統合通信網２０２はＮＧＮ２１０ｂをそれぞれ有している。図３において、２つの統合通信網間における呼ルーティングは、基本的には統合通信網２０１および統合通信網２０２のそれぞれの網毎のユニークな番号帯に基づいて呼ルーティングを行ない、番号ポータビリティ対応についてはそれぞれの統合通信網が管理するＮＲＮに展開してルーティングを行うようになっている。
【００３９】
例えば、ＮＧＮ２１０ａに接続される次世代ユーザの加入者端末２１４ａからの発信呼およびＩＰ電話サービス網２１２ａに接続される加入者端末２１５ａからの発信呼は、加入者セッション制御サーバ２２１ａおよび中継セッション制御サーバ２２２ａを経由してルーティングされる。またＮＧＮ２１０ａで番号解決できない発信呼については連携サーバ２１３ａに問い合わせ、問い合わせ結果に応じてＩＰ電話サービス網２１２ａまたはＰＳＴＮ２１１ａにルーティングする。或いは、統合通信網２０２への番号ポータビリティを利用するユーザの場合は、ＮＲＮに番号展開してＮＧＮ２１０ａの中継セッション制御サーバ２２２ａを経由して統合通信網２０２側へルーティングする。これを受けた統合通信網２０２側のＮＧＮ２１０ｂの中継セッション制御サーバ２２２ｂは、図２で説明した中継セッション制御サーバ１２２と同様に、着信端末がＮＧＮ２１０ｂ内にある場合は加入者セッション制御サーバ２２１ｂを介して接続し、ＮＧＮ２１０ｂ内で番号解決できない場合はＩＰ電話サービス網２１２ｂあるいはＰＳＴＮ２１１ｂへルーティングして番号解決する。
【００４０】
このようにして、個別にＮＧＮとＩＰ電話サービス網とＰＳＴＮを有する複数の統合通信網間においても呼が適切にルーティングされる。尚、ルーティングする際の具体的なメッセージのやり取りについては後で詳しく説明する。
【００４１】
次に、複数の統合通信網が共通の次世代網で共有され、ＰＳＴＮ中継網で中継される場合のシステム例について説明する。図４は、統合通信網３０１と統合通信網３０２とがＮＧＮ３１０で共有され、第１事業者のＰＳＴＮ中継網３０３と第２事業者のＰＳＴＮ中継網３０４とで中継されるＰＳＴＮ中継網利用システムの例を示している。また、図４において、統合通信網３０１はＩＰ電話サービス網３１２ａとＰＳＴＮ３１１ａとを有し、これとは別に統合通信網３０２はＩＰ電話サービス網３１２ｂとＰＳＴＮ３１１ｂとを有している。そして、統合通信網３０１のＰＳＴＮ３１１ａと統合通信網３０２のＰＳＴＮ３１１ｂとはＰＳＴＮ中継網３０３またはＰＳＴＮ中継網３０４でつながれている。
【００４２】
図４において、統合通信網３０１に接続される次世代ユーザの加入者端末３１４ａからの発信呼やＩＰ電話サービス網３１２ａに接続される加入者端末３１５ａからの発信呼は、ＮＧＮ３１０内の加入者セッション制御サーバ３２１および中継セッション制御サーバ３２２を経由して同じＮＧＮ３１０で共有される統合通信網３０２の中継セッション制御サーバ３２３へルーティングされる。そして、ＮＧＮ３１０で番号解決できるものは番号解決して着信先にルーティングされるが、ＮＧＮ３１０で番号解決できない場合は連携サーバ３１３ｂに問い合わせ、問い合わせ結果に応じて統合通信網３０２のＩＰ電話サービス網３１２ｂまたはＰＳＴＮ３１１ｂにルーティングして番号解決する。
【００４３】
また、統合通信網３０１のＰＳＴＮ３１１ａに接続される加入者端末３１６ａからの発信呼はＰＳＴＮ３１１ａで番号解決して、統合通信網３０１のＰＳＴＮ３１１ａから第１事業者のＰＳＴＮ中継網１７４または第２事業者のＰＳＴＮ中継網１７５を経由して統合通信網３０２のＰＳＴＮ３１１ｂにルーティングする。またルーティング先のＰＳＴＮ３１１ｂの着信端末のユーザが番号ポータビリティを利用する場合には、ＰＳＴＮ３１１ｂのＧＣ３１１ｃで他事業者通信網のＮＲＮに番号展開し、ＮＧＮ３１０のＰＳＴＮ−ＧＷである中継セッション制御サーバ３２３に転送して他事業者通信網へルーティングされる。
【００４４】
尚、図４において統合通信網３０１側のＮＧＮ３１０あるいはＩＰ電話サービス網３１２ａに接続される次世代ユーザの加入者端末からの発信呼のうちＰＳＴＮ番号帯への発信呼は、加入者セッション制御サーバ３２１でプレサフィックス（識別用の付加番号）を付与して統合通信網３０２のＰＳＴＮ３１１ｂにルーティングされる。
【００４５】
このように複数の統合通信網が共通の次世代網で共有され、事業者の異なるＰＳＴＮ中継網で中継される場合のシステムでも適切に呼ルーティングを行うことができる。尚、ルーティングする際の具体的なメッセージのやり取りについては後で詳しく説明する。
【００４６】
次に、図１から図４を用いて説明した統合通信網において、呼をルーティングする際の具体的なメッセージのやり取りの方法について図５から図１０を用いて詳しく説明する。
【００４７】
先ず図５は複数の加入者セッション制御サーバに同一番号帯が収容されている場合の例で、番号管理元ではない加入者セッション制御サーバに接続されている端末から発信する時の呼ルーティングの流れを示す説明図である。
【００４８】
図５において、複数の加入者セッション制御サーバ５０２（ＳＲＮ（サーバルーティング番号）：１）と、加入者セッション制御サーバ５０３（ＳＲＮ：２）と、加入者セッション制御サーバ５０４（ＳＲＮ：３）には同一番号帯が収容されており、着信先の加入者端末５０５は加入者セッション制御サーバ５０３に接続されている。
【００４９】
先ず、番号管理元ではない加入者セッション制御サーバ５０６に収容された発信元の加入者端末５０７は、着信先の次世代ＩＰユーザの加入者端末５０５に接続を要求するためにの呼設定要求メッセージ（ＩＮＶＩＴＥメッセージ）を加入者セッション制御サーバ５０６に送信する。加入者セッション制御サーバ５０６でＲｅｑ−ＵＲＩ（表番号＠ＩＰ−Ａ）が付加されたＩＮＶＩＴＥメッセージは、加入者セッション制御サーバ５０６から中継セッション制御サーバ（ＩＰ−ＧＷ）５０８および中継セッション制御サーバ５０９を介して、番号管理元の加入者セッション制御サーバ５０２に送られる。ところが加入者セッション制御サーバ５０２は加入者端末５０５を収容していないので、中継セッション制御サーバ５０９にリダイレクトメッセージ３０１（ｓｉｐ：表番号；ｎｐｄｉ；ｒｎ＝ＳＲＮ＠ＣＬ５）を返送する。尚、ｃｏｎｔａｃｔ  ＵＲＩ（＊＊＊＠ＣＬ５）のＣＬ５は加入者セッション制御サーバを示す識別子である。これを受けた中継セッション制御サーバ５０９は、次の加入者セッション制御サーバ５０３にＩＮＶＩＴＥメッセージ（ｓｉｐ：表番号；ｎｐｄｉ；ｒｎ＝ＳＲＮ＠ＣＬ５）を送信する。加入者セッション制御サーバ５０３は加入者端末５０６を収容しているので発信元の加入者端末５０７との間で呼が確立される。
【００５０】
ここで、上記の例では、加入者セッション制御サーバ５０２が番号管理手段に対応し、加入者セッション制御サーバ５０２が保持するアドレス管理表（収容する加入者に対応する電話番号とネットワークアドレスとの対応を管理するデータベース）に基づいて宛先アドレス（例えば表番号＠ＩＰ−Ａ）に対応する論理アドレス（例えばＳＲＮ＠ＣＬ５）を検索して、着信先の加入者端末５０５を収容する加入者セッション制御サーバ５０３の論理アドレスおよび表番号を含むリダイレクトメッセージを中継セッション制御サーバ５０９へ返送する。
【００５１】
このようにして、番号管理元ではない加入者セッション制御サーバ５０６に接続されている次世代ＩＰユーザの加入者端末５０７と番号管理元の加入者端末５０５との間で通話が可能となる。
【００５２】
次に、図５において、ＰＳＴＮ５１０に接続されているユーザの加入者端末５１１が番号管理元の加入者端末５０５に発信する場合の呼のルーティングについて説明する。加入者端末５１１はＰＳＴＮ５１０内のＧＣ５１２およびＩＧＳ５１３を介して次世代網５０１内のＰＳＴＮ用の中継サーバ（ＰＳＴＮ−ＧＷ）５１４にＲ−ＩＡＭメッセージ（Ｒ−Ｉｎｉｔｉａｌ  Ａｄｄｒｅｓｓ  Ｍｅｓｓａｇｅ）（着番号：ＮＲＮ，着ディレクトリ:表番号）を送信する。この時、Ｒ−ＩＡＭメッセージは宛先アドレスは表番号とＮＲＮの２つの番号を含んでいる。尚、この場合のＮＲＮは次世代網５０１に対応するネットワークルーティング番号である。
【００５３】
Ｒ−ＩＡＭメッセージを受け取った中継サーバ５１４は、Ｒ−ＩＡＭメッセージをＳＩＰのＩＮＶＩＴＥメッセージ（ｓｉｐ：表番号；ｎｐｄｉ；ｒｎ＝ＮＲＮ＠ｈｏｓｔｐｏｒｔ）に変換して中継セッション制御サーバ５０９に送信する。これを受けた中継セッション制御サーバ５０９は、ＩＮＶＩＴＥメッセージ（ｓｉｐ：表番号＠ｈｏｓｔｐｏｒｔ）を加入者セッション制御サーバ５０４に送信する。ところが加入者セッション制御サーバ５０４は加入者端末５０５を収容していないので、中継セッション制御サーバ５０９にリダイレクトメッセージ３０１（ｓｉｐ：表番号；ｎｐｄｉ；ｒｎ＝ＳＲＮ＠ＣＬ５）を返送する。これを受けた中継セッション制御サーバ５０９は、次の加入者セッション制御サーバ５０３にＩＮＶＩＴＥメッセージ（ｓｉｐ：表番号；ｎｐｄｉ；ｒｎ＝ＳＲＮ＠ＣＬ５）を送信する。加入者セッション制御サーバ５０３は加入者端末５０５を収容しているので発信元の加入者端末５１１との間で呼が確立され、番号管理元ではないＰＳＴＮ５１０に接続されている加入者端末５１１と番号管理元の加入者端末５０５との間で通話が可能となる。
【００５４】
ここで、上記の例では、加入者セッション制御サーバ５０４が番号管理手段に対応し、加入者セッション制御サーバ５０４が保持するアドレス管理表に基づいて宛先アドレス（例えば表番号＠ｈｏｓｔｐｏｒｔ）に対応する論理アドレス（例えばＳＲＮ＠ＣＬ５）を検索して、着信先の加入者端末５０５を収容する加入者セッション制御サーバ５０３の論理アドレスおよび表番号を含むリダイレクトメッセージを中継セッション制御サーバ５０９へ返送する。
【００５５】
このように同一番号帯が収容された番号管理元の複数の加入者セッション制御サーバがある場合に番号管理元ではない加入者セッション制御サーバに接続されている端末から発信するときでも、番号管理元の複数の加入者セッション制御サーバ間で宛先アドレスをＳＲＮに展開してルーティングするので、確実に着信端末に接続することができる。
【００５６】
次に、複数の加入者セッション制御サーバに同一番号帯が収容されている場合で、番号管理元の加入者セッション制御サーバに接続されている端末から発信する時の呼ルーティング方法について図６を用いて説明する。
【００５７】
図６において、次世代網５２１の加入者セッション制御サーバ５２２と加入者セッション制御サーバ５２３には同一番号帯が収容されており、加入者セッション制御サーバ５２２に接続されている加入者端末５２４から加入者セッション制御サーバ５２３に接続されている加入者端末に５２５に発信する様子を描いてある。
【００５８】
先ず次世代ＩＰユーザの加入者端末５２４は呼設定要求メッセージ（ＩＮＶＩＴＥメッセージ）を加入者セッション制御サーバ５２２に送信する。加入者セッション制御サーバ５２２は自身が管理している宛先番号であること、また加入者セッション制御サーバ５２３が収容している端末の番号であることを認識し、加入者セッション制御サーバ５２３を特定するＳＲＮによって加入者セッション制御サーバ５２３にルーティングする。この時、ＩＮＶＩＴＥメッセージには、表番号（次世代ＩＰユーザ端末６６が発信した相手端末６８の番号）と、加入者セッション制御サーバ５２３のＳＲＮ：２およびＳＰＩ−ＵＲＩのホスト部にはホスト名（＠ＣＬ５）を設定する。そして、ＩＮＶＩＴＥメッセージは加入者セッション制御サーバ５２２から表番号にて加入者端末５２５を収容している加入者セッション制御サーバ５２３を介して加入者端末５２５に着信する。
【００５９】
一方、加入者セッション制御サーバ５２２は、メッシュ回線（別ルート回線）が接続不可の場合、迂回ルートとしてＩＮＶＩＴＥメッセージを中継セッション制御サーバ（ＩＰ−ＧＷ）５２６へ送信する。加入者セッション制御サーバ５２２からＩＮＶＩＴＥメッセージを受け取った中継セッション制御サーバ５２６はＳＲＮ（ＳＲＮ：２）にて加入者セッション制御サーバ５２３にルーティングし、加入者端末５２５に着信する。
【００６０】
このように同一番号帯が収容された番号管理元の複数の加入者セッション制御サーバがある場合に番号管理元の加入者セッション制御サーバに接続されている端末から発信するときでも、番号管理元の複数の加入者セッション制御サーバ間で宛先アドレスをＳＲＮに展開してルーティングするので、確実に着信端末に接続することができる。
【００６１】
次に、呼ルーティングにおける呼設定要求メッセージ（ＩＮＶＩＴＥメッセージ）のＵＲＩのホスト部情報の設定例について図７を用いて説明する。図７の例では、Ａ社次世代網５３１にある次世代ＩＰユーザの加入者端末５３２からＡ社ＰＳＴＮ５３３に接続される加入者端末５３４やＢ社次世代網５３５の次世代ＩＰユーザの加入者端末５３６に発信する時のルーティングの様子を描いてある。
【００６２】
図７において、次世代ＩＰユーザの加入者端末５３２から送信されたＩＮＶＩＴＥメッセージは、次世代ＩＰユーザの加入者端末５３２を収容しているＡ社次世代網５３１の大阪ブロック５３７にある加入者セッション制御サーバ５３８でＲｅｑ−ＵＲＩ（Ｅ．１６４＠ドメイン（Ａ社））が付加されたＩＮＶＩＴＥメッセージが加入者セッション制御サーバ５３８から大阪ブロックの中継セッション制御サーバ５３９に送られる。尚、Ｅ．１６４は階層的に記述する番号でここでは着信先の電話番号に相当する。中継セッション制御サーバ５３９は、ＩＮＶＩＴＥメッセージを関西ブロック５４０の中継セッション制御サーバ５４１に転送する。そして、先ず関西ブロック内の加入者セッション制御サーバ５４２に転送して番号解決しようとするが、解決できない場合はリダイレクトメッセージ３０１を中継セッション制御サーバ５４１に返す。尚、ｃｏｎｔａｃｔ  ＵＲＩ（Ｅ．１６４＠ＣＬ４）のＣＬ４は中継セッション制御サーバを示す。
【００６３】
加入者セッション制御サーバ５４２からやり直しのメッセージを受けた中継セッション制御サーバ５４１は、連携サーバ５４３にＩＮＶＩＴＥメッセージ（Ｅ．１６４＠ＣＬ４）を送るが、連携サーバ５４３は当該番号を解決できないのでＳＩＰ応答コードのメッセージ４０４（ｎｏｔ  ｆｏｕｎｄ）を中継セッション制御サーバ５４１に返送する。さらに中継セッション制御サーバ５４１は、Ａ社ＰＳＴＮ５３３への接続を中継するＰＳＴＮ−ＧＷ５４４にＩＮＶＩＴＥメッセージ（Ｅ．１６４＠ＰＳＴＮ）を送り、Ａ社ＰＳＴＮ５３３内のＩＧＳ５４５を介して当該ユーザの番号管理元であるＧＣ５４６に送られ、着呼先の端末５３４に接続される。
【００６４】
尚、図７において、次世代ＩＰユーザの加入者端末５３９からＢ社次世代網５３５に接続される加入者端末５３６に発信する場合は、加入者セッション制御サーバ５３８から大阪ブロック５３７の中継セッション制御サーバ５３９にＩＮＶＩＴＥメッセージ（Ｅ．１６４＠ドメイン（Ａ社））が送信され、さらに中継セッション制御サーバ５３９からＢ社次世代網５３５にある中継セッション制御サーバ５４７にＩＮＶＩＴＥメッセージ（Ｅ．１６４＠ドメイン（Ｂ社））が送られて、中継セッション制御サーバ５４７から加入者セッション制御サーバ５４８を介して次世代ＩＰユーザの加入者端末５３６に送信される。
【００６５】
このようにして、ルーティング先に応じて転送するＩＮＶＩＴＥメッセージのＵＲＩのホスト部情報を変換して順番にルーティングを行うことができる。
【００６６】
次に、Ａ社ＰＳＴＮ５３３に接続される加入者端末５３４やＢ社次世代網５３５に接続される加入者端末５３６のユーザが番号ポータビリティで移動した場合のルーティング方法について説明する。
【００６７】
図８は、ＰＳＴＮのユーザが他事業者ＩＰ網へ番号ポータビリティで移動した場合の呼ルーティング方法の一例を示した説明図で、Ｂ社次世代網６０２のＰＳＴＮ６０３に接続されていた加入者端末６０４のユーザが他事業者ＩＰ網６０５に移動した場合の具体的なメッセージのやり取りを示している。
【００６８】
図８において、Ａ社次世代網６０１に接続される次世代ＩＰユーザは、加入者セッション制御サーバ６０６に収容される加入者端末６０１ａから呼設定要求メッセージ（ＩＮＶＩＴＥメッセージ）を送信する。加入者セッション制御サーバ６０６でＲｅｑ−ＵＲＩ（表番号＠ＩＰ−Ａ）が付加されたＩＮＶＩＴＥメッセージは加入者セッション制御サーバ６０６から中継セッション制御サーバ（ＩＰ−ＧＷ）６０７に送られ、中継セッション制御サーバ６０７でＩＮＶＩＴＥメッセージのＲｅｑ−ＵＲＩ（表番号＠ＩＰ−Ｂ）に変換され、着信先の加入者端末６０４が番号ポータビリティの移動前に収容されていたＢ社次世代網６０２側に送られる。
【００６９】
Ｂ社次世代網６０２では、Ａ社次世代網６０１の中継セッション制御サーバ（ＩＰ−ＧＷ，ＰＳＴＮ−ＧＷ）６０８は中継セッション制御サーバ６０７から転送されてきたＩＮＶＩＴＥメッセージを先ず加入者セッション制御サーバ６０９に送るが、加入者端末６０４は加入者セッション制御サーバ６０９に収容されていないので、加入者セッション制御サーバ６０９はＳＩＰ応答コードのリダイレクトメッセージ３０１を中継セッション制御サーバ６０７に返送する。これを受け取った中継セッション制御サーバ６０７は、次のＩＰ電話サービス網（ＣＡＳ網）６１０の連携サーバ６１１にＩＮＶＩＴＥメッセージを送るが、連携サーバ６１１は当該番号を収容していないのでＳＩＰ応答コードのメッセージ４０４（ｎｏｔ  ｆｏｕｎｄ）を中継セッション制御サーバ６０８に返送する。これを受け取った中継セッション制御サーバ６０８は、さらに次のＰＳＴＮ６０３のＩＧＳ６１２を介して当該ユーザの番号管理元であるＧＣ６１３にＩＡＭメッセージ（表番号付加）に変換して送信する。ところが、当該ユーザの加入者端末６０４は、番号ポータビリティで他事業者ＩＰ網６０５に移動しているので、ＧＣ６１３は転送先番号の他事業者ＩＰ網６０５のＮＲＮを記したＲ−ＲＥＬメッセージをＩＧＳ６１２を介して中継セッション制御サーバ６０８に返送する。転送先番号のＮＲＮを記したＲ−ＲＥＬメッセージを受け取った中継セッション制御サーバ６０８は、前位の事業者（発信元事業者や中継事業者）に番号ポータビリティによるリダイレクション（移動）を通知するため、メッセージ送信者のＣｏｎｔａｃｔＵＲＩに移転先事業者のＮＲＮと表番号との２つの番号を記載したリダイレクトメッセージ３０１（ｓｉｐ：表番号；ｎｐｄｉ；ｒｎ＝ＮＲＮ＠ｈｏｓｔｐｏｒｔ）を発信元事業者のＡ社次世代網６０１の中継セッション制御サーバ６０７に返送する。中継セッション制御サーバ６０７は、リダイレクトメッセージ３０１のＮＲＮ情報に記載されている他事業者ＩＰ網６０５にルーティングし、移転先事業者のＮＲＮと表番号との２つの番号を含むＩＮＶＩＴＥメッセージ（ｓｉｐ：表番号；ｎｐｄｉ；ｒｎ＝ＮＲＮ＠ｈｏｓｔｐｏｒｔ）を他事業者ＩＰ網６０５の中継セッション制御サーバ６１３に送り、他事業者ＩＰ網６０５内でルーティングして、番号ポータビリティで移動したユーザの加入者端末６０４に着信される。
【００７０】
ここで、上記の例では、ＧＣ６１３が番号管理手段に対応し、ＧＣ６１３が保持するアドレス管理表に基づいてユーザの表番号に対応するＮＲＮを検索して、着信先の加入者端末６０４が接続される他事業者ＩＰ網６０５のＮＲＮを含むＲ−ＲＥＬメッセージをＩＧＳ６１２を介して中継セッション制御サーバ６０８に返送する。
【００７１】
このようにして、次世代ＩＰユーザの加入者端末６０７からの発信呼は、発信元事業者（Ａ社次世代網６０１）の加入者セッション制御サーバ６０６と中継セッション制御サーバ６０７を介して表番号の着信先事業者（Ｂ社次世代網６０２）に転送され、Ｂ社次世代網６０２の中継セッション制御サーバ６０８を介して加入者セッション制御サーバ６０９とＩＰ電話サービス網６１０とＰＳＴＮ６０３とに順番にＩＮＶＩＴＥメッセージが送られて番号解決し、番号ポータビリティ移動前のユーザの加入者端末６０４が収容されていたＧＣ６１３に一旦着信するが、先に説明したように番号ポータビリティ移動先のＮＲＮを発信元事業者に返信され、最終的に他事業者ＩＰ網６０５に移動したユーザの加入者端末６０４に着信することができる。このように、ＰＳＴＮのユーザが他事業者ＩＰ網へ番号ポータビリティで移動した場合でも確実に呼をルーティングすることができる。
【００７２】
次に、次世代ＩＰユーザが他事業者ＩＰ網へ番号ポータビリティで移動した場合の呼ルーティング方法について図９を用いて説明する。
【００７３】
図９において、Ａ社次世代網６２１に接続される次世代ＩＰユーザは加入者端末６２３から番号ポータビリティの移動前にＢ社次世代網６２２に接続されていた次世代ＩＰユーザの加入者端末６２４に発呼する。ところが、着信先の加入者端末６２４のユーザは他事業者ＩＰ網６２５へ番号ポータビリティで移動しており着信できない。この場合でも、本実施形態に係る呼ルーティング方法および呼ルーティングシステムでは、Ｂ社次世代網６２２から他事業者ＩＰ網６２５に呼をルーティングできる。
【００７４】
図９において具体的なメッセージの流れについて説明する。Ａ社次世代網６２１に接続される次世代ＩＰの加入者端末６２３は、呼設定要求メッセージ（ＩＮＶＩＴＥメッセージ）を加入者セッション制御サーバ６２６に送信する。加入者セッション制御サーバ６２６でＲｅｑ−ＵＲＩ（表番号＠ＩＰ−Ａ）が付加されたＩＮＶＩＴＥメッセージは加入者セッション制御サーバ６２６から中継セッション制御サーバ（ＩＰ−ＧＷ）６２７に送られ、中継セッション制御サーバ６２７はＩＮＶＩＴＥメッセージのＲｅｑ−ＵＲＩを（表番号＠ＩＰ−Ｂ）に書き換えて、番号ポータビリティの移動前に加入者端末６２４が接続されていたＢ社次世代網６２２側に転送する。Ｂ社次世代網６２２側に転送されたＩＮＶＩＴＥメッセージは、中継セッション制御サーバ（ＩＰ−ＧＷ）６２８から番号ポータビリティの移動前に加入者端末６２４が収容されていた加入者セッション制御サーバ６２９に送られるが加入者端末６２４は他事業者ＩＰ網６２５に移動しているので、加入者セッション制御サーバ６２９はＳＩＰ応答コードのリダイレクトメッセージ３０１を中継セッション制御サーバ６２８に返送する。この時、加入者セッション制御サーバ６２９は、前位の事業者（発信元事業者や中継事業者）に番号ポータビリティによるリダイレクション（移動）を通知するため、メッセージ送信者のＣｏｎｔａｃｔＵＲＩに移転先事業者のＮＲＮと表番号との２つの番号を記載したリダイレクトメッセージ３０１を返送する（ｓｉｐ：表番号；ｎｐｄｉ；ｒｎ＝ＮＲＮ＠ｈｏｓｔｐｏｒｔ）。返送されたリダイレクトメッセージ３０１は、中継セッション制御サーバ６２８を介して発信元事業者のＡ社次世代網６２１の中継セッション制御サーバ６２７に戻される。中継セッション制御サーバ６２７は、リダイレクトメッセージ３０１の記載されているＮＲＮに応じて、移転先事業者のＮＲＮと表番号との２つの番号を含むＩＮＶＩＴＥメッセージ（ｓｉｐ：表番号；ｎｐｄｉ；ｒｎ＝ＮＲＮ＠ｈｏｓｔｐｏｒｔ）を他事業者ＩＰ網６２５の中継セッション制御サーバ６３０に転送する。そして、他事業者ＩＰ網６２５内の中継セッション制御サーバ６３０を介してルーティングされ、番号ポータビリティで移動した次世代ＩＰユーザの加入者端末６２４に着信される。
【００７５】
ここで、上記の例では、加入者セッション制御サーバ６２９が番号管理手段に対応し、加入者セッション制御サーバ６２９が保持するアドレス管理表に基づいてユーザの表番号に対応するＮＲＮを検索して、着信先の加入者端末６２４が接続される他事業者ＩＰ網６２５のＮＲＮを含むリダイレクトメッセージ３０１を中継セッション制御サーバ６２８を介して発信元事業者のＡ社次世代網６２１の中継セッション制御サーバ６２７に返送する。
【００７６】
このように、次世代網のユーザが他事業者ＩＰ網へ番号ポータビリティで移動した場合でも確実に呼をルーティングすることができる。
【００７７】
次に、次世代ＩＰユーザがＰＳＴＮへ番号ポータビリティで移動した場合の呼ルーティング方法について図１０を用いて説明する。
【００７８】
図１０において、次世代網６４１に接続される加入者端末６４２の次世代ＩＰユーザは、番号ポータビリティの移動前に同じ次世代網６４１の加入者セッション制御サーバ６４３に収容されていたユーザの加入者端末６４４に発呼する。ところが、加入者セッション制御サーバ６４３に収容されていたユーザはＰＳＴＮ６４８へ番号ポータビリティで移動しているので着呼できない。この場合でも、本実施形態に係る呼ルーティング方法および呼ルーティングシステムでは、次世代網６４１からＰＳＴＮ６４８に呼をルーティングできる。
【００７９】
図１０において具体的なメッセージの流れについて説明する。次世代網６４１に接続される次世代ＩＰユーザは、加入者セッション制御サーバ６４５に収容される次世代ＩＰの加入者端末６４２から呼設定要求メッセージ（ＩＮＶＩＴＥメッセージ）を送信する。加入者セッション制御サーバ６４５でＲｅｑ−ＵＲＩ（表番号＠ＩＰ−Ａ）が付加されたＩＮＶＩＴＥメッセージは、加入者セッション制御サーバ６４５から中継セッション制御サーバ（ＩＰ−ＧＷ）６４６および中継セッション制御サーバ（ＩＰ−ＧＷ，ＰＳＴＮ−ＧＷ）６４７を介して、番号ポータビリティの移動前に次世代ＩＰユーザが収容されていた加入者セッション制御サーバ６４３に転送される。ところが加入者セッション制御サーバ６４３は着信先の次世代ＩＰユーザはＰＳＴＮ６４８に移動しているので、番号ポータビリティによるリダイレクションを通知するため、移転先事業者のＮＲＮと表番号との２つの番号を記載したリダイレクトメッセージ３０１を中継セッション制御サーバ６４７に返送する（ｓｉｐ：表番号；ｎｐｄｉ；ｒｎ＝ＮＲＮ＠ｈｏｓｔｐｏｒｔ）。中継セッション制御サーバ６４７は、リダイレクトメッセージ３０１に記載されているＮＲＮに応じてＰＳＴＮ６４８にルーティングし、移転先事業者のＮＲＮと表番号との２つの番号を含むＩＡＭメッセージ（着番号：ＮＲＮ，着ディレクトリィ番号：表番号）を作成してＰＳＴＮ６４８のＩＧＳ６４９を介してＧＣ６５０に送られ、最終的に番号ポータビリティで移動したユーザの加入者端末６４４に接続される。
【００８０】
ここで、上記の例では、加入者セッション制御サーバ６４３が番号管理手段に対応し、加入者セッション制御サーバ６４３が保持するアドレス管理表に基づいてユーザの表番号に対応するＮＲＮを検索して、着信先の加入者端末６４４が接続される他事業者ＩＰ網６４８のＮＲＮを含むリダイレクトメッセージ３０１を中継セッション制御サーバ６４７に返送する。
【００８１】
このように、次世代網６４１のユーザがＰＳＴＮ６４８へ番号ポータビリティで移動した場合でも確実に呼をルーティングすることができ、次世代ＩＰユーザの加入者端末６４２と番号ポータビリティでＰＳＴＮ６４８に移動したユーザの加入者端末６４４との間で通話が可能となる。
【００８２】
以上、各図面を用いて説明してきたように、本発明に係る呼ルーティング方法および呼ルーティングシステムは、既存の電話網（ＰＳＴＮ）とＩＰ電話サービス網と次世代ＩＰ網とが統合された統合通信網において、中継サーバの負担を少なくし確実に宛先に呼をルーティングすることができる。特に番号ポータビリティを利用してユーザーがＰＳＴＮから次世代網やＩＰ電話サービス網へ移動したり、或いは異なる事業者のネットワーク管理配下に移動した場合でも、従来技術のようにエラーになって接続できなかったり、中継サーバに大きな負担を掛けることなく、確実に呼をルーティングすることができる。
【符号の説明】
【００８３】
１０１，２０１，２０２，３０１，３０２・・・統合通信網
１１０，２１０ａ，２１０ｂ，３１０，５０１，５２１，６４１・・・次世代網（ＮＧＮ）
５３１，６０１，６２１・・・Ａ社次世代網
５３５，６０２，６２２・・・Ｂ社次世代網
１１１，２１１ａ，２１１ｂ，３１１ａ，３１１ｂ，５１０，５３３，６０３，６４８・・・ＰＳＴＮ
１１２，２１２ａ，２１２ｂ，３１２ａ，３１２ｂ，６１０・・・ＩＰ電話サービス網
１２１，２２１ａ，２２１ｂ，３２１，５０２，５０３，５０４，５０６，５５２，５２３，５３８，５４２，５４８，６０６，６０９，６１３，６２６，６２９，６３０，６４３，６４５・・・加入者セッション制御サーバ
１２２，２２２ａ，２２２ｂ，３２２，３２３，５０８，５０９，５１４，５２６，５３９，５４１，５４７，６０７，６０８，６２７，６２８，６４６，６４７・・・中継セッション制御サーバ
１１３，２１３ａ，２１３ｂ，３１３ｂ，５４３，６１１・・・連携サーバ
１１４，２１４ａ，３１４ａ，３１５ａ，５０５，５０７，５１１，５２４，５２５，５３２，５３４，５３６，６０１ａ，６０４，６２３，６２４，６４２，６４４・・・加入者端末
１４１・・・加入者収容サーバ
１３１，５１３，５４５，６１２，６４９・・・ＩＧＳ
１３２，５１２，５４６，６１３，６５０・・・ＧＣ
１２３，５４４・・・ＰＳＴＮ−ＧＷ
【先行技術文献】
【非特許文献】
【００８４】
【非特許文献１】「ＥＴＳＩＴＩＳＰＡＮのＮＧＮ標準化動向」ＮＴＴ技術ジャーナル２００６．４
【非特許文献２】「ＮＧＮが提供する新しいコミュニケーションとそれを支える技術」ＮＴＴ技術ジャーナル２００７．４
【非特許文献３】「局用ディジタル交換の開発を顧みて」電子情報通信学会誌ＶｏＩ．８９．Ｎｏ１．２００６
【図１】
2010193046.tif 000003
【図２】
2010193046.tif 000004
【図３】
2010193046.tif 000005
【図４】
2010193046.tif 000006
【図５】
2010193046.tif 000007
【図６】
2010193046.tif 000008
【図７】
2010193046.tif 000009
【図８】
2010193046.tif 000010
【図９】
2010193046.tif 000011
【図１０】
2010193046.tif 000012
【図１１】
2010193046.tif 000013
【図１２】
2010193046.tif 000014